(57)【要約】【課題】地中に打ち込むことなく設置でき、手押しポンプ式打抜き井戸の設置場所の条件を緩和することができるとともに、造設工事における経済的負担および騒音負担を軽減することができる取水管を提供する。【解決手段】手押しポンプ式打抜き井戸を構成する取水管１０は、胴部１２、ジョイント部１３および掘削部１４からなる管状本体部１１で構成されている。管状体本体部１１の内部には、取水管１０を地中に挿し込むための高圧水を導くとともに地下水を地表に導くための流路１５が形成されている。胴部１２には、流路１５と連通する状態で取水口１２ａが形成されている。掘削部１４には、高圧水を噴射するための噴射口１４ａが形成されている。掘削部１４の内部には、仕切板１４ｂの下方に小径部１４ｃを塞ぐための止水球１７が収容されている。小径部１４ｃには、フィルタ２２を介してウエイト体２３によって押圧された栓体２１が嵌まり込んでいる。【選択図】  図１
2010275751.tif 000002
【特許請求の範囲】
【請求項１】
地中に挿し込んだ管を介して地下水を手動で汲み上げる手押しポンプ式打抜き井戸における前記地下水を取水するための取水管であって、
管状体に構成され、同管状体の内部に水の流路が形成された管状本体部と、
前記管状本体部における一方の端部に形成され、前記流路から導かれる水を噴射するための噴射口と、
前記管状本体部における胴部表面と前記流路とに連通して形成され、前記地下水を濾しながら前記流路に導く取水部と、
前記流路における前記噴射口と前記取水部との間の内径が細く形成された小径部と、
前記流路における前記小径部と前記噴射口との間に配置され、前記地下水を汲み上げるために前記手押しポンプにより前記管状本体部内部に吸引力を生じさせたとき、同吸引力によって前記小径部を塞ぐことができる第１の止水体とを備えることを特徴する取水管。
【請求項２】
請求項１に記載した取水管において、さらに、
前記管状本体部における他方の端部側から前記流路における前記小径部に向って挿入され、前記地下水を汲み上げるための前記吸引力に抗して前記流路における前記小径部を塞ぐ第２の止水体とを備えることを特徴とする取水管。
【請求項３】
請求項２に記載した取水管において、
前記第２の止水体は、
弾性変形可能な素材で構成され、前記流路における前記小径部を塞ぐ栓体と、
前記栓体を前記小径部に押し付けるためのウエイト体とで構成されることを特徴とする取水管。
【請求項４】
請求項３に記載した取水管において、
前記第２の止水体は、さらに、
前記栓体と前記ウエイト体との間に配置され、水を濾すためのフィルタを備えることを特徴とする取水管。
【請求項５】
請求項１ないし請求項４のうちのいずれか１つに記載した取水管と、
前記取水管によって取水された地下水を地上に導くための導水管と、
前記地下水を汲み上げるために前記取水管内に吸引力を生じさせるための手押しポンプとを備えたことを特徴とする手押しポンプ式打抜き井戸。
【発明の詳細な説明】
【技術分野】
【０００１】
本発明は、地中に挿し込んだ管を介して地下水を手動で汲み上げる手押しポンプ式打抜き井戸に用いられる取水管および同取水管を備える手押しポンプ式打抜き井戸に関する。
【背景技術】
【０００２】
従来から、地中に挿し込んだ管の上端部に手押し式の汲水ポンプを接続することにより地下水を手動で汲み上げる手押しポンプ式打抜き井戸が知られている。この場合、打抜き井戸とは、地中に掘削される縦穴の穴径が地下水を取水するための取水管の直径（太さ）に対応した大きさに形成された形態の井戸であり、同縦穴の穴径が取水管の直径に対して遥かに大きく形成された形態の掘抜き井戸とは区別される。このような手押しポンプ式打抜き井戸を設置するに際しては、通常、ボーリングマシンにて掘削した縦穴内に前記取水管を挿し込んだ後、縦穴の壁面と取水管との間に濾過材を充填して造設される。
【０００３】
しかし、このような手押しポンプ式打抜き井戸の造設方法においては、孔の掘削、取水管の設置および濾過材の充填など作業工程が多いため、造設工事に要する時間的負担および経済的負担が大きいという問題がある。このため、例えば、下記特許文献１および特許文献２には、地中に対して直接打ち込むことができる打抜き井戸用の取水管が提案されている。
【先行技術文献】
【特許文献】
【０００４】
【特許文献１】特開２０００−２８４９５号公報
【特許文献２】特開２００８−２７４５７８号公報
【０００５】
しかしながら、上記したような各打抜き井戸用の取水管においては、地中に取水管を挿し込むために取水管を地中に打ち込む打込機が必要となる。このため、打抜き井戸の造設工事が大掛かりなものとなり、打抜き井戸を設置できる場所が打込機での作業が可能な場所に限定されるとともに、造設工事に対する経済的負担が大きいという問題がある。また、打込機での取水管の打ち込み作業においては、取水管の打ち込む際に相応の騒音が不可避的に生じるため、打抜き井戸の造設工事に携る者およびその周囲の者への騒音負担が大きいという問題もある。
【発明の開示】
【０００６】
本発明は上記問題に対処するためなされたもので、その目的は、地下水を取水するための取水管を地中に打ち込むことなく直接地中に挿し込むことができ、手押しポンプ式打抜き井戸を設置できる場所的条件を緩和することができるとともに、造設工事における経済的負担および騒音負担を軽減することができる取水管および同取水管を備える手押しポンプ式打抜き井戸を提供することにある。
【０００７】
上記目的を達成するため、請求項１に係る本発明の特徴は、地中に挿し込んだ管を介して地下水を手動で汲み上げる手押しポンプ式打抜き井戸における地下水を取水するための取水管であって、管状体に構成され、同管状体の内部に水の流路が形成された管状本体部と、管状本体部における一方の端部に形成され、前記流路から導かれる水を噴射するための噴射口と、管状本体部における胴部表面と前記流路とに連通して形成され、地下水を濾しながら前記流路に導く取水部と、前記流路における噴射口と取水部との間の内径が細く形成された小径部と、前記流路における小径部と噴射口との間に配置され、地下水を汲み上げるために手押しポンプにより管状本体部内部に吸引力を生じさせたとき、同吸引力によって前記小径部を塞ぐことができる第１の止水体とを備えることにある。
【０００８】
このように構成した請求項１に係る本発明の特徴によれば、手押しポンプ式打抜き井戸を構成する取水管は、管状本体部の先端部に水を噴射させるための噴射口を備えている。これにより、取水管を地中に挿し込むに際しては、前記噴射口から水を噴射させることにより取水管を挿し込んでいくことができる。すなわち、地下水を取水するための取水管を地中に打ち込むことなく設置できる。これにより、手押しポンプ式打抜き井戸を設置できる場所的条件を緩和することができるとともに、造設工事における経済的負担および騒音負担を軽減することができる。また、取水管における管状本体部には、前記噴射口と地下水を濾しながら流路内に取り込む取水部との間における流路内に内径が絞られた小径部が形成されているとともに、同小径部と噴射口との間に管状本体部内に吸引力が生じた際に前記小径部を塞ぐ第１の止水体が配置されている。これにより、地下水の汲み上げ時においては、管状本体部の流路内に噴射口から地下水が吸い込まれることが防止される。すなわち、管状本体部における流路内には、取水部によって砂や泥などの異物が濾された清水のみが導かれる。この結果、異物や濁りのない清水を汲み上げることができる。
【０００９】
また、請求項２に係る本発明の他の特徴は、前記取水管において、さらに、管状本体部における他方の端部側から前記流路における小径部に向って挿入され、地下水を汲み上げるための吸引力に抗して前記流路における小径部を塞ぐ第２の止水体とを備えることにある。
【００１０】
このように構成した請求項２に係る本発明の特徴によれば、手押しポンプ式打抜き井戸を構成する取水管は、前記管状本体部の流路に形成された小径部を塞ぐために第１の止水体に加えて第２の止水体を備えている。この場合、第２の止水体は、取水管を地中に設置した後に、管状本体部内にセットされて同管状本体部内に生じさせた吸引力に抗しながら小径部を塞ぐ。これにより、より確実に噴射口からの地下水の流入が阻止され、異物や濁りのない清水を汲み上げることができる。
【００１１】
また、請求項３に係る本発明の他の特徴は、前記取水管において、第２の止水体は、例えば、弾性変形可能な素材で構成され、前記流路における小径部を塞ぐ栓体と、栓体を小径部に押し付けるためのウエイト体とで構成したことにある。
【００１２】
このように構成した請求項３に係る本発明の特徴によれば、第２の止水体は、弾性変形可能な素材で構成された栓体と、同栓体を小径部に押し付けるためのウエイト体とによって構成されている。したがって、小径部には、ウエイト体によって押し付けられた栓体が嵌まり込む。これにより、小径部が歪に形成されている場合であっても、小径部に栓体が密着してより確実に噴射口からの地下水の浸入を阻止することができる。この結果、異物や濁りのない清水を汲み上げることができる。
【００１３】
また、請求項４に係る本発明の他の特徴は、前記取水管において、第２の止水体は、さらに、栓体とウエイト体との間に配置され、水を濾すためのフィルタを備えることにある。
【００１４】
このように構成した請求項４に係る本発明の特徴によれば、第２の止水体は、栓体とウエイト体との間に水中に含まれる異物を濾すためのフィルタを備えている。これにより、栓体によって塞がれた小径部から地下水が漏れて浸入した場合であっても、漏れて浸入した地下水に含まれる砂や泥などの異物が濾されて地下水とともに地上に汲み上げられることが防止される。この結果、より確実に異物や濁りのない清水を汲み上げることができる。
【００１５】
また、本発明は取水管の発明として実施できるばかりでなく、同取水管を備える手押しポンプ式打抜き井戸としても実施できるものである。
【００１６】
すなわち、請求項５に係る本発明の他の特徴は、請求項１ないし請求項４のうちのいずれか１つに記載した取水管と、取水管によって取水された地下水を地上に導くための導水管と、地下水を汲み上げるために取水管内に吸引力を生じさせるための手押しポンプとを備えたことにある。このように構成した請求項５に係る本発明の特徴によれば、手押しポンプ式打抜き井戸は、上記取水管により、異物や濁りのない清水を汲み上げることができる。
【図面の簡単な説明】
【００１７】
【図１】本発明に係る取水管の全体構成を模式的に示す断面図である。
【図２】図１に示す取水管にライザーパイプを接続した状態を示す外観正面図である。
【図３】図２に示す取水管を地中に挿し込む作業の様子を示す説明図である。
【図４】図１に示す取水管が地中を掘削する際の状態を示す断面図である。
【図５】図１に示す取水管における止水球によって小径部が止水された状態で地下水を取水する様子を示す断面図である。
【図６】図１に示す取水管における栓体によって小径部が止水された状態で地下水を取水する様子を示す断面図である。
【発明を実施するための形態】
【００１８】
以下、本発明に係る取水管の一実施形態について図面を参照しながら説明する。図１は、本発明に係る取水管１０の全体構成を模式的に示す断面図である。なお、本明細書において参照する各図は、本発明の理解を容易にするために一部の構成要素を誇張して表わすなど模式的に表している。このため、各構成要素間の寸法や比率などは異なっていることがある。この取水管１０は、手押しポンプ式打抜き井戸において地中に設置されて地下水を取水するための管である。この場合、手押しポンプとは、取水管１０に直接的または間接的に連結した状態で地上に設置され、使用者によるハンドルの人力操作によって取水管１０内に吸引力を発生させて地下水を汲み上げる手動式のポンプである。また、打抜き井戸とは、前記したように、地中に掘削される縦穴の穴径が取水管１０の直径（太さ）に対応した径に形成された形態の井戸である。
【００１９】
（取水管１０の構成）
取水管１０は、管状本体部１１を備えている。管状本体部１１は、鋼管製の胴部１２の両端部に筒状のジョイント部１３および掘削部１４がそれぞれ取り付けられた管状体で構成されている。これらの胴部１２、ジョイント部１３および掘削部１４によって構成される管状本体部１１の内部空間には、水が流通する流路１５が形成されている。
【００２０】
胴部１２は、胴部１２の内部、すなわち、環状体本体部１１の内部である流路１５に地下水を取り込む部材であり、外周面の上部に流路１５と連通する状態で複数の取水口１２ａが形成されている。この胴部１２の外周面上には、網体１６が設けられている。網体１６は、取水口１２ａを介して流路１５内に地下水を吸い込む際に取水口１２ａに土砂が侵入することを防止するための網状のフィルタである。この網体１６は、粗目と細目の互いに異なる２つの網目のステンレス製の網を互いに重ねて構成されており、胴部１２の外周面上にそれぞれ巻き回されて設けられている。すなわち、これらの取水口１２ａおよび網体１６が、本発明に係る取水部に相当する。
【００２１】
ジョイント部１３は、管状本体部１１と地上に設置される手押しポンプ（図示せず）とを結ぶライザーパイプ３０（図１においては図示せず）の一方の端部を接続するための鋼製の接続部材である。また、掘削部１４は、地上からライザーパイプ３０を介して供給される水を噴射させるための鋼製の筒状部材であり、図示下方の先端部に２つの噴射口１４ａが流路１５に連通した状態でそれぞれ形成されている。
【００２２】
この掘削部１４の内部空間には、同空間を胴部１２側（図示上方側）と噴射口１４ａ側（図示下方側）とに仕切る仕切板１４ｂが設けられている。仕切板１４ｂは、鋼製の板状体で構成されており、表面中央部に上面と下面とを貫通した状態で流路１５の内径（胴部１２の内径）より小径の小径部１４ｃが形成されている。この仕切板１４ｂによって仕切られた噴射口１４ａ側の内部空間には止水球１７が収容されている。止水体１７は、仕切板１４ｂに形成された小径部１４ｃを塞ぐための鋼球体であり、仕切板１４ｂによって仕切られた内部空間内にて自由に変位可能な状態で収容されている。
【００２３】
仕切板１４ｂにおける小径部１４ｃには、胴部１２側（図示上方）から栓体２１が嵌め込まれている。栓体２１は、仕切板１４ｂに形成された小径部１４ｃを塞ぐゴム製の栓であり、図示下方から図示上方に向かって径が大きくなる略円錐状に形成れている。栓体２１の上方における胴部１２の流路１５内にはフィルタ２２が詰められている。フィルタ２２は、栓体２１が嵌め込まれて塞がれた小径部１４ｃから漏れ出る地下水に含まれる異物を濾し取る濾過部材である。本実施形態においては、フィルタ２２は、ステンレスウールで構成されている。
【００２４】
フィルタ２２の上方には、ウエイト体２３が配置されている。ウエイト体２３は、フィルタ２２および栓体２１を仕切板１４ｂ側（図示下方）に押し付けることにより栓体２１を小径部１４ｃに嵌め込んで密着させるためのステンレス製の錘である。このウエイト体２３は、地下水を汲み上げるために流路１５内にて生起される吸引力に抗して栓体２１を押し付けることができる質量（重量）で構成されており、本実施形態においては胴部１２の内径より小径の略円柱状に形成されている。これらの、栓体２１、フィルタ２２およびウエイト体２３は、取水管１０が地中に設置されて地下水を汲み上げる際に胴部１２内における流路１５内に投入されて配置される。この取水管１０の大きさは、地下水を汲み上げる量および深さに対応する外径および長さに形成されており、本実施形態においては、網体１６を含む胴部１２の直径が約４０ｍｍ、長さが約６００ｍｍに形成さている。
【００２５】
（取水管１０の作動）
次に、このように構成された取水管１０の作動について説明する。まず、作業者は、取水管１０、ライザーパイプ３０およびジェットポンプ（図示せず）をそれぞれ用意する。この場合、ライザーパイプ３０は、取水管１０に対して地上から供給される掘削用の高圧水を導くとともに、取水管１０から取水された地下水を地上に導くための鋼製の管体である。このライザーパイプ３０は、地下水を汲み上げる量および深さに対応する外径および長さに形成されており、本実施形態においては、直径が約４０ｍｍ、長さが約５０００ｍｍに形成さている。なお、図２においては、ライザーパイプ３０の中央部を省略して示している。また、ジェットポンプは、取水管１０の先端部の噴射口１４ａから噴射させて地中を掘削するための高圧水（ジェット水流）を供給するための原動機付の送水ポンプである。
【００２６】
作業者は、取水管１０におけるジョイント部１３にライザーパイプ３０の一方（図示下方）の端部を接続するとともに、同ライザーパイプ３０の他方（図示上側）の端部にジェットポンプを接続する。この場合、作業者は、取水管１０における流路１５内に、栓体２１、フィルタ２２およびウエイト体２３が配置されていないことを確認した上でライザーパイプ３０の接続を行う。そして、作業者は、図３に示すように、手押しポンプ式打抜き井戸を設置する地表面に取水管１０を立てた状態でジェットポンプを作動させる。これにより、取水管１０の掘削部１４の先端部に形成された噴射口１４ａから掘削用の高圧水が下方に向かって噴射される。
【００２７】
この場合、図４に示すように、取水管１０における掘削部１４の内部に収容された止水球１７は、ジェットポンプから供給される掘削用の高圧水ＨＷによって噴射口１４ａ側に強く押し付けられた状態となる。これにより、流路１５および噴射口１４ａが止水球１７によって塞がれることなく噴射口１４ａから高圧水ＨＷが噴射される。また、この場合、流路１５に連通して形成された取水口１２ａからも高圧水ＨＷの一部が流出する。これにより、取水管１０を地中に挿し込む際における網体１６に砂、小石および泥などの異物が詰まることが防止されるとともに、流路１５内への泥水等の流入が防止される。
【００２８】
作業者は、取水管１０が接続されたライザーパイプ３０をパイプバイス３１を介して保持しながら同ライザーパイプ３０を図示上下方向に上下動させて取水管１０およびライザーパイプ３０を地中に挿し込んでいく。なお、地表面が硬い場合には、深さ５００〜１０００ｍｍ程度の深さの下穴を掘削した後、同下穴に取水管１０を差し込んで掘削を開始するようにしてもよい。
【００２９】
そして、作業者は、取水管１０を所定の深さまで挿し込んだ場合には、ジェットポンプの作動を停止させる。次に、作業者は、地中に挿し込んだ取水管１０からの取水量の確認を行なう。具体的には、作業者は、ライザーパイプ３０の他方の端部からジェットポンプを取り外した後、同端部にジェットポンプに代えて手押しポンプ（図示せず）を一時的に接続する。そして、作業者は、手押しポンプのハンドルを手動操作することにより、取水管１０およびライザーパイプ３０を介して地下水を汲み上げる。
【００３０】
この場合、図５に示すように、管状本体部１１の流路１５内には、地上に向って吸引力が発生する。これにより、掘削部１４内に収容されている止水球１７が仕切板１４ｂの小径部１４ｃに向って吸引されるため、同小径部１４ｃは止水球１７によって塞がれる。このため、胴部１２の流路１５内には、取水口１２ａから地下水ＳＷが網体１６を介して吸い込まれる。この場合、地下水ＳＷは網体１６を介して流路１５内に吸い込まれるため、地下水ＳＷに含まれる小石や砂などの異物が除去されて流路１５内に導かれる。そして、胴部１２の流路１５内に吸い込まれた地下水ＳＷはライザーパイプ３０を介して地上に導かれる。すなわち、止水球１７が、本発明に係る第１の止水体に相当する。
【００３１】
但し、この場合、流路１５内に生じる吸引力は、作業者による手押しポンプの操作に基づいているため不安定である。したがって、止水球１７は、地下水ＳＷの汲み上げ時においては、小径１４ｃに対する吸着力が一時的に弱くなったり、小径部１４ｃから一時的に外れることがある。このため、流路１５内には、噴射口１４ａから吸い込まれ小径部１４ｃを介して地下水が流入することがある。
【００３２】
作業者は、取水管１０から取水される地下水ＳＷの量や質が不十分であると判断される場合には、取水管１０の挿し込み作業を続行する。すなわち、作業者は、ライザーパイプ３における他方の端部から手押しポンプを取り外すとともに、同端部に再度ジェットポンプを接続する。そして、前記と同様にして、掘削用の高圧水を管状本体部１１の先端部の噴射口１４ａから噴出させて取水管１０の挿し込み作業を再開する。
【００３３】
一方、取水管１０から取水される地下水ＳＷの量や質が十分であると判断される場合には、作業者は、取水管１０の挿し込み作業を終えて手押しポンプの設置作業を行う。具体的には、作業者は、ライザーパイプ３０の他方の端部に接続された手押しポンプを取り外した後、同端部から栓体２１、フィルタ２２およびウエイト体２３を取水管１０に向けて投入する。ライザーパイプ３０内に投入された栓体２１およびフィルタ２２は、ライザーパイプ３０内をウエイト体２３に押されて自由落下した後、取水管１０の流路１５内に到達する。そして、栓体２１がウエイト体２３に押された状態で仕切板１４ｂに形成された小径部１４ｃ内に嵌まり込む。この場合、栓体２１は弾性を有するゴム材で構成されているため、小径部１４ｃの形状に沿って弾性変形する。これにより、仕切板１４ｂの小径部１４ｃが栓体２１によって隙間無く塞がれる。
【００３４】
次に、作業者は、ライザーパイプ３０の他方の端部に手押しポンプ（図示せず）を接続する。そして、作業者は、ライザーパイプ３０に接続された手押しポンプを地表面上に固定するなどの各種仕上げ作業を経て手押しポンプ式打抜き井戸を完成させる。
【００３５】
このように構成された手押しポンプ式打抜き井戸を使用するに際しては、使用者は、手押しポンプ式打抜き井戸における手押しポンプのハンドルを操作することにより、取水管１０を介して地下水ＳＷを汲み上げることができる。この場合、図６に示すように、取水管１０における流路１５内においては、仕切板１４ｂに形成された小径部１４ｃが栓体２１によって塞がれている。このため、流路１５内には、噴射口１４ａからの地下水の流入が阻止された状態で、取水口１２ａから地下水ＳＷが流入する。これにより、手押しポンプ式打抜き井戸の吐水口からは異物や濁りのない清水が汲み上げられることになる。
【００３６】
この場合、ウエイト体２３は、流路１５内に生じる吸引力に抗しながら栓体２１を小径部１４ｃに常に押し付ける。このため、使用者による手押しポンプの操作により管状本体部１１の流路１５内の圧力が変化した場合であっても栓体２１による小径部１４ｃの閉塞状態を維持することができ、噴射口１４ａからの地下水の流入を阻止することができる。また、何らかの事情により栓体２１と小径部１４ｃとの間に隙間が生じた場合であっても、同隙間から浸入した地下水に含まれる砂や泥などの異物はフィルタ２２によって濾し取られる。このため、栓体２１と小径部１４ｃとの間の隙間から地下水が浸入した場合であっても、異物や濁りのない清水を汲み上げることができる。すなわち、栓体２１、フィルタ２２およびウエイト体２３が、本発明に係る第２の止水体に相当する。
【００３７】
そして、使用者による手押しポンプの操作を停止して地下水ＳＷの汲み上げ作業を終了した場合においても、栓体２１による小径部１４ｃの閉塞状態はウエイト体２３によって維持される。このため、次回、使用者が手押しポンプを操作して地下水ＳＷの汲み上げ作業を行った場合においても流路１５内に噴射口１４ａからの地下水が混入することはなく、異物や濁りのない清水を汲み上げることができる。
【００３８】
上記作動説明からも理解できるように、上記実施形態によれば、手押しポンプ式打抜き井戸を構成する取水管１０は、管状本体部１１の先端部に水を噴射させるための噴射口１４ａを備えている。これにより、取水管１０を地中に挿し込むに際しては、噴射口１４ａから水を噴射させることにより取水管１０を挿し込んでいくことができる。すなわち、地下水ＳＷを取水するための取水管１０を地中に打ち込むことなく設置できる。これにより、手押しポンプ式打抜き井戸を設置できる場所的条件を緩和することができるとともに、造設工事における経済的負担および騒音負担を軽減することができる。また、取水管１０における管状本体部１１には、前記噴射口１４ａと地下水ＳＷを濾しながら流路１５内に取り込む取水口１２ａとの間における流路１５内に内径が絞られた小径部１４ｃが形成されているとともに、同小径部１４ｃと噴射口１４ａとの間に管状本体部１１内に吸引力が生じた際に前記小径部１４ｃを塞ぐ止水球１７が配置されている。これにより、地下水ＳＷの汲み上げ時においては、管状本体部１１の流路１５内に噴射口１４ａから地下水ＳＷが吸い込まれることが防止される。すなわち、管状本体部１１における流路１５内には、取水口１２ａおよび網体１６によって砂や泥などの異物が濾された清水のみが導かれる。この結果、異物や濁りのない清水を汲み上げることができる。
【００３９】
さらに、本発明の実施にあたっては、上記実施形態に限定されるものではなく、本発明の目的を逸脱しない限りにおいて種々の変更が可能である。
【００４０】
例えば、上記実施形態においては、管状本体部１１の胴部１２の外周面に網体１６を配置して地下水ＳＷに含まれる小石や砂などの異物を濾す構成とした。しかし、網体１６は、地下水ＳＷに含まれる異物の種類や量（すなわち、井戸を設置する地質）に応じて適宜設ければよい。すなわち、網体１６に代えてまたは加えて、管状本体部１１の胴部１２に形成された取水口１２ａの大きさ、数および形状を適宜設定することにより地下水ＳＷに含まれる異物を除去することができる。これによっても、上記実施形態と同様の効果が期待できる。
【００４１】
また、上記実施形態においては、胴部１２の内部における流路１５内に栓体２１，フィルタ２２およびウエイト２３からなる第２の止水体を配置して噴射口１４ａからの地下水の流入を防止した。しかし、第２の止水体の構成は、地下水ＳＷの汲み上げ時に胴部２１内の流路１５内に生じる吸引力に抗して小径部１４ｃを塞ぐことができる構成であれば、上記実施形態に限定されるものではない。例えば、栓体２１の重量を前記流路１５内に生じる吸引力に抗することができる程度の重さで構成すれば、ウエイト体２３を省略することもできる。また、小径部１４ｃと栓体２１との間の隙間からの地下水の浸入がない、または地下水の浸入が許容できる範囲である場合にはフィルタ２２も省略することができる。
【００４２】
更には、掘削部１４の内部に収容した止水球１７による小径部１４ｃの閉塞によって十分に地下水の浸入が防止できる、またはある程度の地下水の浸入が許容できる場合などには、第２の止水体自体を省略して構成することもできる。なお、栓体２１、フィルタ２２およびウエイト体２３を構成する素材や形状も、栓体２１、フィルタ２２およびウエイト体２３の設置環境、小径部１４ｃの形状等によって適宜決定すればよく、上記実施形態に限定されるものでないことは、当然である。
【００４３】
また、上記実施形態においては、仕切板１４ｂに小径部１４ｃを形成した。しかし、小径部１４ｃは、流路１５内において流路１５の内径を部分的に細く形成したものであれば、上記実施形態に限定されるものではない。すなわち、胴部１２または掘削部１４の内周面に直接小径部１４ｃを形成してもよい。また、小径部１４ｃの形状も上記実施形態のように内径が一定の形状であってもよいし、内径が軸線方向に沿って変化するテーパ状に形成されていてもよい。これらによっても、上記実施形態と同様の効果が期待できる。
【符号の説明】
【００４４】
ＨＷ…高圧水、ＳＷ…地下水、１０…取水管、１１…管状本体部、１２…胴部、１２ａ…取水口、１３…ジョイント部、１４…掘削部、１４ａ…噴射口、１４ｂ…仕切板、１４ｃ…小径部、１５…流路、１６…網体、１７…止水体、２１…栓体、２２…フィルタ、２３…ウエイト体、３０…ライザーパイプ、３１…パイプバイス。
【図１】
2010275751.tif 000003
【図２】
2010275751.tif 000004
【図３】
2010275751.tif 000005
【図４】
2010275751.tif 000006
【図５】
2010275751.tif 000007
【図６】
2010275751.tif 000008